(57)【要約】【課題】軽量化及び低コスト化を図りつつ、光ケーブルを封止することができるシール部材及び光ケーブル用クロージャを提供する。【解決手段】シール部材１０は、光ケーブル用クロージャのフレーム１１０に取り付けられ、主ケーブル２、支持線３及びドロップケーブル４を封止する。シール部材１０は、主ケーブル導入部１０２と、支持線導入部１０３と、ドロップケーブル導入部１０４とを有している。シール部材１０は、プラスチック製であり、フレーム１１０よりも柔らかい材質で形成されている。ドロップケーブル導入部１０４には、薄膜状の変形部１０５が設けられている。変形部１０５は、ドロップケーブル４が導入されないときはドロップケーブル導入部１０４を閉塞状態としており、ドロップケーブル４が導入されるときに押し潰されて塑性変形するように構成されている。【選択図】図８
2014238456.tif 000002
【特許請求の範囲】
【請求項１】
光ケーブル用クロージャに備えられるプラスチック製のシール部材であって、
主ケーブルを導入するための主ケーブル導入部と、
支持線を導入するための支持線導入部と、
ドロップケーブルを導入するためのドロップケーブル導入部と、
を有し、
前記ドロップケーブル導入部には、薄膜状の変形部が設けられており、
前記変形部は、前記ドロップケーブルが導入されないときは前記ドロップケーブル導入部を閉塞状態としており、前記ドロップケーブルが導入されるときに押し潰されて塑性変形するように構成されている、
シール部材。
【請求項２】
基体と、
前記基体の一端に第１ヒンジを介して回動自在に連結された第１開閉体と、
前記基体の他端に第２ヒンジを介して回動自在に連結された第２開閉体と、
を備え、
前記主ケーブル導入部及び前記支持線導入部は、前記基体に設けられ、
前記ドロップケーブル導入部は、前記第１開閉体及び前記第２開閉体に設けられており、
前記第１開閉体及び前記第２開閉体の一方には、前記第１開閉体と前記第２開閉体とを係止するための係止用突起が設けられ、
前記第１開閉体及び前記第２開閉体の他方には、前記係止用突起と係合する突起受け部が設けられている、
請求項１記載のシール部材。
【請求項３】
フレームと、
主ケーブル及び支持線を前記フレームに固定するケーブル固定部材と、
前記フレームに着脱自在に取り付けられ、前記主ケーブル、前記支持線及びドロップケーブルを封止するプラスチック製のシール部材と、
前記フレームを前記ケーブル固定部材及び前記シール部材と共に収容するケースと、
を備え、
前記シール部材は、前記主ケーブルを導入するための主ケーブル導入部と、前記支持線を導入するための支持線導入部と、前記ドロップケーブルを導入するためのドロップケーブル導入部と、を有し、前記フレームよりも柔らかい材質で形成されており、
前記ドロップケーブル導入部には、薄膜状の変形部が設けられており、
前記変形部は、前記ドロップケーブルが導入されないときは前記ドロップケーブル導入部を閉塞状態としており、前記ドロップケーブルが導入されるときに押し潰されて塑性変形するように構成されている、
光ケーブル用クロージャ。
【請求項４】
前記シール部材は、前記ケーブル固定部材を覆うように前記フレームに着脱自在に取り付けられている、
請求項３記載の光ケーブル用クロージャ。
【請求項５】
前記ドロップケーブルを前記フレームに固定するドロップケーブル固定部材を更に備え、前記シール部材は、前記ケーブル固定部材と前記ドロップケーブル固定部材を覆うように前記フレームに着脱自在に取り付けられている、
請求項４記載の光ケーブル用クロージャ。
【発明の詳細な説明】
【技術分野】
【０００１】
本発明は、光ケーブル用クロージャに用いるシール部材及び光ケーブル用クロージャに関するものである。
【背景技術】
【０００２】
従来、光ケーブル用クロージャとしては、例えば特許文献１に記載されているようなものが知られている。特許文献１に記載のクロージャは、光ケーブルを導入するケーブル導入部にゴム製の端面シールを設けることにより、水等の浸入を防ぐというものである。
【先行技術文献】
【特許文献】
【０００３】
【特許文献１】特開２００５−１６５２０２号公報
【発明の概要】
【発明が解決しようとする課題】
【０００４】
上記特許文献１に記載の光ケーブル用クロージャでは、端面シールとしてゴムを使用する。この場合には、クロージャの重量が増えると共に部品点数が増え、コストアップとなるため、改善が望まれている。
【０００５】
本発明の目的は、軽量化及び低コスト化を図りつつ、光ケーブルを封止できるシール部材及び光ケーブル用クロージャを提供することである。
【課題を解決するための手段】
【０００６】
本発明は、光ケーブル用クロージャに備えられるプラスチック製のシール部材であって、主ケーブルを導入するための主ケーブル導入部と、支持線を導入するための支持線導入部と、ドロップケーブルを導入するためのドロップケーブル導入部と、を有し、ドロップケーブル導入部には、薄膜状の変形部が設けられており、変形部は、ドロップケーブルが導入されないときはドロップケーブル導入部を閉塞状態としており、ドロップケーブルが導入されるときに押し潰されて塑性変形するように構成されている。
【０００７】
このような構成においては、ドロップケーブル導入部よりドロップケーブルが導入されないときは、薄膜状の変形部はドロップケーブル導入部を閉塞状態としていることにより、防水されることとなる。ドロップケーブル導入部よりドロップケーブルが導入されるときは、薄膜状の変形部が押し潰されて塑性変形することにより、ドロップケーブルがシール部材と光ケーブル用クロージャのフレームとにより挟持されるため、ドロップケーブルが封止され、防水されることとなる。また、主ケーブル導入部より主ケーブルが導入され、支持線導入部より支持線が導入されるときは、主ケーブル及び支持線がシール部材と光ケーブル用フレームとにより挟持されるため、主ケーブル及び支持線が封止される。よって、シール部材に比重の重いゴムを用いることなく、主ケーブル、支持線、及びドロップケーブルを封止することが可能である。これにより、シール部材の部品点数を減らし、軽量化及び低コスト化を図ることができる。
【０００８】
また、好ましくは、基体と、基体の一端に第１ヒンジを介して回動自在に連結された第１開閉体と、基体の他端に第２ヒンジを介して回動自在に連結された第２開閉体と、を備え、主ケーブル導入部及び支持線導入部は、基体に設けられ、ドロップケーブル導入部は、第１開閉体及び第２開閉体に設けられており、第１開閉体及び第２開閉体の一方には、第１開閉体と第２開閉体とを係止するための係止用突起が設けられ、第１開閉体及び第２開閉体の他方には、係止用突起と係合する突起受け部が設けられている。この場合には、シール部材が開閉可能となるため、シール部材を光ケーブル用クロージャのフレームに容易に且つ確実に取り付けることができる。
【０００９】
また、本発明の光ケーブル用クロージャは、フレームと、主ケーブル及び支持線をフレームに固定するケーブル固定部材と、フレームに着脱自在に取り付けられ、主ケーブル、支持線及びドロップケーブルを封止するプラスチック製のシール部材と、フレームをケーブル固定部材及びシール部材と共に収容するケースと、を備え、シール部材は、主ケーブルを導入するための主ケーブル導入部と、支持線を導入するための支持線導入部と、ドロップケーブルを導入するためのドロップケーブル導入部と、を有し、フレームよりも柔らかい材質で形成されており、ドロップケーブル導入部には、薄膜状の変形部が設けられており、変形部は、ドロップケーブルが導入されないときはドロップケーブル導入部を閉塞状態としており、ドロップケーブルが導入されるときに押し潰されて塑性変形するように構成されている。
【００１０】
このような構成においては、ドロップケーブル導入部よりドロップケーブルが導入されないときは、薄膜状の変形部はドロップケーブル導入部を閉塞状態としていることにより、防水されることとなる。ドロップケーブル導入部よりドロップケーブルが導入されるときは、薄膜状の変形部が押し潰されて塑性変形することにより、ドロップケーブルがシール部材と光ケーブル用クロージャのフレームとにより挟持されるため、ドロップケーブルが封止され、防水されることとなる。また、主ケーブル導入部より主ケーブルが導入され、支持線導入部より支持線が導入されるときは、主ケーブル及び支持線がシール部材と光ケーブル用クロージャのフレームとにより挟持されるため、主ケーブル及び支持線が封止される。よって、シール部材に比重の重いゴムを用いることなく、主ケーブル、支持線、及びドロップケーブルを封止することが可能である。これにより、シール部材の部品点数を減らし、軽量化及び低コスト化を図ることができる。
【００１１】
また、好ましくは、シール部材は、ケーブル固定部材を覆うようにフレームに着脱自在に取り付けられている。この場合には、主ケーブル及び支持線を固定する機能がシール部材の内部に配置されることとなるため、シール性が向上し、一層の防水効果が得られる。また、シール部材がケーブル固定部材を覆うことになるため、光ケーブル用クロージャの小型化が図られる。
【００１２】
また、好ましくは、ドロップケーブルをフレームに固定するドロップケーブル固定部材を更に備え、シール部材は、ケーブル固定部材とドロップケーブル固定部材を覆うようにフレームに着脱自在に取り付けられている。この場合には、主ケーブル及び支持線を固定する機能だけではなく、ドロップケーブルを固定する機能もシール部材の内部に配置されることとなるため、シール性が更に向上し、より一層の防水効果が得られる。また、シール部材がケーブル固定部材及びドロップケーブル固定部材を覆うことになるため、光ケーブル用クロージャの一層の小型化が図られる。
【発明の効果】
【００１３】
本発明によれば、軽量化及び低コスト化を図りつつ、光ケーブルを光ケーブル用クロージャに対して封止することができる。
【図面の簡単な説明】
【００１４】
【図１】本発明に係る光ケーブル用クロージャの一実施形態を示す斜視図である。
【図２】図１に示すクロージャの内部構成を示す斜視図である。
【図３】図１に示すクロージャの内部構成を示す斜視図である。
【図４】主ケーブル、支持線、及びドロップケーブルをケーブル固定部材及びドロップケーブル固定部材によりフレームに固定する様子を示す斜視図である。
【図５】図３に示す光ケーブル用クロージャのケーブル固定部材を示す側面図及び裏面図である。
【図６】図３に示す光ケーブル用クロージャのドロップケーブル固定部材を示す側面図及び裏面図である。
【図７】主ケーブル、支持線、及びドロップケーブルがシール部材により封止する様子を示す斜視図である。
【図８】主ケーブル、支持線、及びドロップケーブルがシール部材により封止された状態を示す斜視図である。
【図９】主ケーブル、支持線、及びドロップケーブルがシール部材により封止された状態を示す斜視図及び断面図である。
【図１０】図７〜図９に示すシール部材が開いた状態を示す斜視図である。
【図１１】図７〜図９に示すシール部材が閉じた状態を示す斜視図である。
【図１２】図７〜図９に示すシール部材の一部を示す拡大斜視図である。
【図１３】図１に示す光ケーブル用クロージャのケースを示す斜視図である。
【発明を実施するための形態】
【００１５】
以下、本発明に係わるシール部材及び光ケーブル用クロージャの好適な実施形態について、図面を参照して詳細に説明する。
【００１６】
図１に示すように、光ケーブル用クロージャ（以下、単に光クロージャという）１００は、架空において主ケーブル２とドロップケーブル４とを接続するものである。主ケーブル２は、支持線３と一体化されており、光クロージャ１００を支持線３に取り付ける際に支持線３と分離される。
【００１７】
主ケーブル２は、複数の光ファイバ心線が被覆された光ケーブルである。主ケーブル２は、例えば、８芯の光ファイバ心線（４芯のテープ心線２枚）が被覆された光ケーブルであってもよい。支持線３は、光クロージャ１００を支持することができる程度の剛性を有している。支持線３は、例えば鋼線が被覆されて使用される。ドロップケーブル４は、１芯の光ファイバが被覆された光ケーブルである。
【００１８】
さらに、図１及び図２に示すように、光クロージャ１００は、フレーム１１０と、光接続器１１３と、ケーブル固定部材１１４と、ドロップケーブル固定部材１１５と、シール部材１０と、ケース１１１と、を備えている。
【００１９】
図２及び図３に示すように、フレーム１１０には、光クロージャ１００を通過する光ファイバ５を収納するための通過ガイド１１０ｂが長手方向に沿って設けられている。通過ガイド１１０ｂは、主ケーブル２から露出された光ファイバ５を収容する。
【００２０】
光接続器１１３は、フレーム１１０に着脱自在に取り付けられ、主ケーブル２の光ファイバ５とドロップケーブル４の光ファイバとを光学的に接続する。光接続器１１３は、通過ガイド１１０ｂに対するフレーム１１０の側面と接するように設けられる。光接続器１１３は、例えば光コネクタ接続部で構成されている。光接続器１１３は、コネクタ固定ベース１１２を介してフレーム１１０と固定されている。
【００２１】
光クロージャ１００内に導入された主ケーブル２は、主ケーブル２の外皮が除去されて、複数本の光ファイバ５が露出した状態となっている。これらの光ファイバ５のうちの１本が光接続器１１３において光接続される。これにより、光クロージャ１００内において、主ケーブル２とドロップケーブル４とが光接続器１１３を介して接続されるようになる。光接続器１１３において光接続される光ファイバ５は、フレーム１１０に形成された切欠き１１０ｄを通り光接続器１１３へ導入される。また、光ファイバ５が除かれた主ケーブル２の外皮は、フレーム１１０に設けられた係止部１１０ｃにより係止される。光接続される光ファイバ５以外の光ファイバ５は、通過ガイド１１０ｂを介して、主ケーブル２により被覆される。
【００２２】
図３及び図４に示すように、ケーブル固定部材１１４は、フレーム１１０の両端部に上方から着脱自在に取り付けられ、主ケーブル２及び支持線３をフレーム１１０に固定する。図５に示すように、ケーブル固定部材１１４には、溝１１４ａ，１１４ｂが同一方向に沿って形成されている。溝１１４ａ，１１４ｂには、主ケーブル２及び支持線３の外皮に食い込む複数の刃部(鬼目)１１４ｃが形成されている。また、ケーブル固定部材１１４には、フレーム１１０に押し込まれて係止するための１対の係止部１１４ｄが形成されている。
【００２３】
図３及び図４に示すように、ドロップケーブル固定部材１１５は、フレーム１１０の両端部に下方から着脱自在に取り付けられ、ドロップケーブル４をフレーム１１０に固定する。ドロップケーブル固定部材１１５は、フレーム１１０の両端部に２つずつ設けられている。図６に示すように、ドロップケーブル固定部材１１５には、溝１１５aが形成されている。溝１１５aには、ドロップケーブル４の外皮に食い込む複数の刃部(鬼目)１１５ｃが形成されている。また、ドロップケーブル固定部材１１５は、フレーム１１０に押し込まれて係止するための１対の係止部１１５ｄが形成されている。
【００２４】
図７から図９に示すように、シール部材１０は、フレーム１１０の両端部に着脱自在に取り付けられる。シール部材１０は、フレーム１１０と協働して、主ケーブル２、支持線３及びドロップケーブル４を封止する。
【００２５】
図１０から図１２をさらに参照してシール部材１０について詳細に説明する。シール部材１０は、基体１１と、第１開閉体１２と、第２開閉体１３とを備える。
【００２６】
基体１１には、主ケーブル２を導入するための主ケーブル導入部１０２と、支持線３を導入するための支持線導入部１０３とが設けられている。主ケーブル導入部１０２は、主ケーブル２の断面形状に合わせて形成されている。また、支持線導入部１０３は、支持線３の断面形状に合わせて形成されている。さらに、基体１１は、ケーブル固定部材１１４を収容するための凹状部となっている。基体１１には、シール部材１０がケース１１１に収納された際にシール部材１０を位置決めするための貫通孔１１ａが成されている。
【００２７】
第１開閉体１２は、基体１１の一端に第１ヒンジ１１ｂを介して回動自在に連結されている。第１開閉体１２は、フレーム１１０の一側突部を逃がすための貫通孔１２ａを有している。
【００２８】
第２開閉体１３は、基体１１の他端に第２ヒンジ１１ｃを介して回動自在に連結されている。第２開閉体１３は、フレーム１１０の他側突部を逃がすための貫通孔１３ａを有している。
【００２９】
第１開閉体１２及び第２開閉体１３は、ドロップケーブル導入部１０４を備えている。また、第２開閉体１３には、第１開閉体１２と第２開閉体１３とを係止するための係止用突起１５aが設けられている。そして、第１開閉体１２には、係止用突起１５aと係合するフック状の突起受け部１５が設けられている。
【００３０】
ドロップケーブル導入部１０４には、薄膜状の変形部１０５が設けられている。変形部１０５は、ドロップケーブル４が導入されないときはドロップケーブル導入部１０４を閉塞状態としており、ドロップケーブル４が導入されるときに押し潰されて塑性変形するように構成されている。なお、変形部１０５の厚みは、例えば０．１ｍｍ〜０．５ｍｍ程度である。
【００３１】
また、シール部材１０の第１開閉体１２には、水抜孔１２ｂが形成されている。第２開閉体１３には、水抜孔１３ｂが形成されている。このため、例えば、雨等が万が一侵入した場合であっても、図９（Ｂ）の矢印Ｗに示すように、雨等が排出される。
【００３２】
また、図７及び図８に示すように、シール部材１０は、ケーブル固定部材１１４及びドロップケーブル固定部材１１５を覆うようにフレーム１１０の両端部に脱着自在に取り付けられている。
【００３３】
シール部材１０及びフレーム１１０は、プラスチック製部材である。特に、シール部材１０は、フレーム１１０よりも柔らかい材質で形成されている。ここで、部材の柔らかさを比較する指標の一例として、引張強さ又は伸びを用いて評価する。
【００３４】
本実施形態において、シール部材１０はポリプロピレン製である。シール部材１０は、例えばポリエチレン製等であってもよい。
【００３５】
また、フレーム１１０はポリカーボネート製である。あるいは、フレーム１１０は、例えばポリスチレン又はＡＢＳ樹脂等であってもよい。
【００３６】
シール部材１０の引張強さ（ｋｇ／ｃｍ２）は、好ましくは３３〜４８０であり、より好ましくは４１〜４００である。また、シール部材１０の伸び（％）は、好ましくは８０〜９６０であり、より好ましくは１００〜８００である。
【００３７】
フレーム１１０の引張強さ（ｋｇ／ｃｍ２）は、好ましくは１６０〜１０１０であり、より好ましくは２００〜８５０である。また、フレーム１１０の伸び（％）は、好ましくは０．８〜１６０であり、より好ましくは１〜１３５である。
【００３８】
図１３に示すように、ケース１１１は、フレーム１１０をケーブル固定部材１１４、ドロップケーブル固定部材１１５及びシール部材１０と共に収容する。ケース１１１はヒンジ１１１ｂを介して開閉自在である。ケース１１１は、主ケーブル２の延伸方向に延びている。また、ケース１１１におけるシール部材１０と当接する位置には、シール部材１０の基体１１の貫通孔１１ａと嵌合する突起１１１ａが形成されている。
【００３９】
以上、本実施形態によれば、シール部材１０において、ドロップケーブル導入部１０４よりドロップケーブル４が導入されないときは、薄膜状の変形部１０５はドロップケーブル導入部１０４を閉塞した状態となる。このため、ドロップケーブル４が導入されない状態でも、ドロップケーブル導入部１０４はシール部材１０により防水される。
【００４０】
また、シール部材１０を形成する材料として、比較的剛性の低い樹脂（例えば、ポリプロピレンなど）を使用することにより、シール部材１０はフレーム１１０よりも柔らかいため、ドロップケーブル導入部１０４よりドロップケーブル４が導入されるときは、薄膜状の変形部１０５が押し潰されて塑性変形する。このため、ドロップケーブル４がシール部材１０とフレーム１１０とにより挟持される。従って、ドロップケーブル４はシール部材１０によって封止され、ドロップケーブル導入部１０４が防水されることとなる。
【００４１】
つまり、シール部材１０のドロップケーブル導入部１０４をドロップケーブル４の形状に合わせることで、シール部材１０がプラスチック製部材であっても、フレーム１１０及びシール部材１０とドロップケーブル４との隙間をなくすことができる。
【００４２】
また、シール部材１０の主ケーブル導入部１０２を主ケーブル２の形状に合わせることで、シール部材１０がプラスチック製部材であっても、フレーム１１０及びシール部材１０と主ケーブル２との隙間をなくすことができる。
【００４３】
さらに、シール部材１０の支持線導入部１０３を支持線３の形状に合わせることで、シール部材１０がプラスチック製部材であっても、フレーム１１０及びシール部材１０と支持線３との隙間をなくすことができる。
【００４４】
このように、シール部材１０として比重の重いゴムを用いることなく、主ケーブル２、支持線３、及びドロップケーブル４を封止することが可能である。
【００４５】
これにより、光クロージャ１００の軽量化が図られると共に、部品点数が減るため、低コスト化が図られる。
【００４６】
さらに、シール部材１０はケーブル固定部材１１４及びドロップケーブル固定部材１１５を覆うように構成されているので、ケーブル固定部材１１４及びドロップケーブル固定部材１１５がシール機能の一部として使用されることとなる。このため、シール性が向上し防水性能が高まるとともに、ケーブル固定部材１１４及びドロップケーブル固定部材１１５をシール部材１０の外部に設けなくても済むため、光クロージャ１００を小型化することができる。
【００４７】
なお、本発明は、上記実施形態に限定されるものではない。例えば、上記実施形態では、シール部材１０に２つのドロップケーブル導入部１０４が設けられているが、ドロップケーブル導入部１０４の数としては特にそれに限定されず、１つだけでもよい。
【００４８】
また、上述した実施形態では、シール部材１０は、ケーブル固定部材１１４及びドロップケーブル固定部材１１５を覆うようにフレーム１１０の両端部に脱着自在に取り付けられている場合を説明したが、これに限定されず、シール部材１０は、ケーブル固定部材１１４及びドロップケーブル固定部材１１５を覆うようにフレーム１１０の一方の端部に脱着自在に取り付けられてもよい。この場合、ケーブル固定部材１１４及びドロップケーブル固定部材１１５は、シール部材１０が取り付けられるフレーム１１０の一方の端部に取り付けられていてもよい。
【００４９】
また、上述した実施形態では、ドロップケーブル固定部材１１５は、シール部材１０に覆われている場合を説明したが、これに限定されず、ドロップケーブル固定部材１１５は、シール部材１０に覆われている構造でなくてもよいし、ドロップケーブル４は、ドロップケーブル固定部材１１５以外の部材によって固定される構造であってもよい。
【符号の説明】
【００５０】
２…主ケーブル、３…支持線、４…ドロップケーブル、１０…シール部材、１１…基体、１２…第１開閉体、１３…第２開閉体、１５…突起受け部、１５a…係止用突起、１００…光クロージャ、１０２…主ケーブル導入部、１０３…支持線導入部、１０４…ドロップケーブル導入部、１０５…変形部、１１０…フレーム、１１１…ケース、１１４…ケーブル固定部材、１１５…ドロップケーブル固定部材。
【図１】
2014238456.tif 000003
【図２】
2014238456.tif 000004
【図３】
2014238456.tif 000005
【図４】
2014238456.tif 000006
【図５】
2014238456.tif 000007
【図６】
2014238456.tif 000008
【図７】
2014238456.tif 000009
【図８】
2014238456.tif 000010
【図９】
2014238456.tif 000011
【図１０】
2014238456.tif 000012
【図１１】
2014238456.tif 000013
【図１２】
2014238456.tif 000014
【図１３】
2014238456.tif 000015